(57)【要約】【課題】  装置全体の厚さが薄く、１または少数のランプを用いた構造で、動画像の動画ボケを抑えることができる液晶表示装置を提供する。【解決手段】本発明に係る液晶表示装置は、液晶表示パネル３と、液晶表示パネル３の背面に配置される導光板１２と、液晶表示パネル３の対向する２つの辺縁において導光板１２に隣接して配置される上部側エッジランプ８および下部側エッジランプ９を備える。ランプ制御部１，４，５，６，７は、液晶表示パネル３に対する映像の書き込みタイミングと上部側エッジランプ８および下部側エッジランプ９の点灯タイミングとを関連させて、上部側エッジランプ８および下部側エッジランプ９を間欠点灯する制御を行う。【選択図】図１
2008083427.tif 000002
【特許請求の範囲】
【請求項１】
液晶表示パネルと、
前記液晶表示パネルの背面に配置される導光板と、
前記液晶表示パネルの対向する２つの辺縁において前記導光板に隣接して配置されるランプと、
前記液晶表示パネルに対する映像の書き込みタイミングと前記ランプの点灯タイミングとを関連させて、前記ランプを間欠点灯する制御を行うランプ制御部とを備える、
液晶表示装置。
【請求項２】
前記液晶表示パネルは、
一の液晶表示部を区分してなる第１，第２の液晶表示部を含み、
前記ランプは、
前記第１の液晶表示部側に配置される第１のランプと、第２の液晶表示部側に配置される第２のランプを含み、
前記ランプ制御部は、
前記第１の液晶表示部に前記映像が書き込まれる期間に、前記第１のランプを消灯、前記第２のランプを点灯し、
前記第２の液晶表示部に前記映像が書き込まれる期間に、前記第２のランプを消灯、前記第１のランプを点灯する、
請求項１に記載の液晶表示装置。
【請求項３】
前記導光板は、
前記第１、第２の液晶表示部にそれぞれ対応した第１、第２の光透過領域を有し、
前記第１の光透過領域と前記第２の光透過領域領域との境界における光透過特性が、それ以外の領域の光透過特性よりも低い、
請求項２に記載の液晶表示装置。
【請求項４】
前記導光板は、
端部から前記境界に近づくにつれて、光透過特性が低くなる、
請求項３に記載の液晶表示装置。
【請求項５】
前記導光板は、
前記第１、第２の液晶表示部にそれぞれ対応した第１、第２の光透過領域を有し、
前記第１の光透過領域と前記第２の光透過領域領域との境界において分割されている、
請求項２に記載の液晶表示装置。
【請求項６】
前記ランプ制御部は、
前記液晶表示パネルに前記映像が書き込まれるタイミングから所定時間遡ったタイミングにおいて、前記ランプの消灯を開始する、
請求項１乃至請求項５のいずれかに記載の液晶表示装置。
【請求項７】
前記ランプが発する光の強さを検出する光検出部をさらに備え、
前記ランプ制御部は、
前記光検出部が検出する光の強さに応じて、前記ランプの消灯を開始するタイミングを変更する、
請求項１乃至請求項６のいずれかに記載の液晶表示装置。
【請求項８】
前記液晶表示パネルの液晶表示部において表示される映像が動く領域を検出する映像動き検出部をさらに備え、
前記ランプ制御部は、
前記映像動き検出部が検出する前記領域に前記映像が書き込まれる期間に、前記ランプを消灯する、
請求項１乃至請求項６のいずれかに記載の液晶表示装置。
【請求項９】
前記ランプ制御部は、
前記液晶表示パネルの液晶表示部において、外部入力情報により指示された特定領域に映像が書き込まれる期間に、前記ランプを消灯する、
請求項１乃至請求項８のいずれかに記載の液晶表示装置。
【請求項１０】
前記液晶表示パネルに映像が書き込まれる期間の長さは１垂直同期期間よりも短く、
前記ランプ制御部は、前記１垂直同期期間のうち前記液晶表示パネルに前記映像が書き込まれる期間以外の期間に、前記ランプを点灯する制御を行う、
請求項１乃至請求項９のいずれかに記載の液晶表示装置。
【請求項１１】
前記液晶表示パネルに表示される映像の各色それぞれにオーバードライブ処理するオーバードライブ処理部をさらに備える、
請求項１乃至請求項７のいずれかに記載の液晶表示装置。
【請求項１２】
前記液晶表示パネルの液晶表示部において表示される映像が動く領域を検出する映像動き検出部をさらに備え、
前記オーバードライブ処理部は、
前記映像動き検出部が検出する結果に応じて、オーバードライブ処理を行う、
請求項１１に記載の液晶表示装置。
【請求項１３】
前記液晶表示パネルに表示される映像の各色それぞれに映像エッジ補正処理する映像エッジ補正処理部をさらに備える、
請求項１乃至請求項７のいずれかに記載の液晶表示装置。
【請求項１４】
前記液晶表示パネルの液晶表示部において表示される映像が動く領域を検出する映像動き検出部をさらに備え、
前記映像エッジ補正処理部は、
前記映像動き検出部が検出する結果に応じて、映像エッジ補正処理を行う、
請求項１３に記載の液晶表示装置。
【請求項１５】
前記ランプ制御部が前記ランプを消灯する期間に応じて、前記ランプに供給される電流値を変更する電流制御部をさらに備える、
請求項１乃至請求項１４のいずれかに記載の液晶表示装置。
【請求項１６】
前記液晶表示パネルに表示される映像のコンテンツ情報を判別するコンテンツ情報判別部と、
前記コンテンツ情報判別部で判別された前記コンテンツ情報に応じて、前記ランプに供給される電流値を変更する電流制御部とをさらに備える、
請求項１乃至請求項１４のいずれかに記載の液晶表示装置。
【請求項１７】
前記ランプは、前記液晶表示パネルの各前記辺縁においてそれぞれ複数個配置され、
前記ランプ制御部が前記ランプを消灯する期間に応じて、点灯する前記ランプの個数を変更するランプ切り替え回路をさらに備える、
請求項１乃至請求項１４のいずれかに記載の液晶表示装置。
【請求項１８】
前記ランプは、前記液晶表示パネルの各前記辺縁においてそれぞれ複数個配置され、
前記液晶表示パネルに表示される映像のコンテンツ情報を判別するコンテンツ情報判別部と、
前記コンテンツ情報判別部で判別された前記コンテンツ情報に応じて、点灯する前記ランプの個数を変更するランプ切り替え回路とをさらに備える、
請求項１乃至請求項１４のいずれかに記載の液晶表示装置。
【発明の詳細な説明】
【技術分野】
【０００１】
本発明は、エッジライト型バックライト光源により液晶表示パネルを照明して画像を表示する液晶表示装置に関し、特にインパルス型表示に近づけることにより、動画表示の際に生じる動きボケを防止する液晶表示装置に関するものである。
【背景技術】
【０００２】
従来の陰極線管（ＣＲＴ）を用いたディスプレイモニターに代わって、近年、液晶表示パネル（ＬＣＤ）を有する液晶表示装置の普及が目覚しい。しかしながら、インパルス型表示のＣＲＴディスプレイモニターに動画を表示した場合には、いわゆる「動画ボケ」が発生しないのに対し、ホールド型表示の液晶表示装置に動画を表示すると、動画ボケが原理的に発生してしまう。
【０００３】
この改善策として、例えば、特許文献１や特許文献２に開示されている発明では、表示すべき１フレーム分の画像信号を液晶表示パネルに書き込んで所定時間経過した後に、その背面に配置した１または複数のランプからなるバックライト光源を全面点灯させる（全面フラッシュ型）。また、特許文献３、特許文献４、特許文献５、および、特許文献６に開示されている発明では、複数の分割表示領域を有する液晶表示パネルと、分割表示領域に対応する発光分割領域を有するバックライトとを備え、映像が書き込まれる分割表示領域に応じて、バックライトを順次スキャン点灯させる（走査型バックライト点灯方式）。こうして、これらの発明は、動画表示の際に生じる動きボケを抑えている。
【０００４】
【特許文献１】特開平９−３２５７１５
【特許文献２】特開２００１−２０１７６３
【特許文献３】特開平１１−２０２２８６
【特許文献４】特開２０００−３２１５５１
【特許文献５】特開２００１−２９６８３８
【特許文献６】特開２００５−１２８５４６
【発明の開示】
【発明が解決しようとする課題】
【０００５】
特許文献１から特許文献６に記載の液晶表示装置では、液晶表示パネルの背面にランプを配列し、背面から直接液晶表示パネルを照明するダイレクトバックライト方式を用いた構造であるため、液晶表示装置全体の厚みが厚くなるという問題があった。
【０００６】
また、特許文献３から特許文献６に記載の液晶表示装置では、液晶表示パネルの背面に等間隔に複数のランプを配置する。この方式では、多数のランプを必要とし、かつ、ランプを個別に駆動制御するインバータ制御回路をそのランプと同じ数だけ必要とするため、製造コストが高くなるという問題があった。また、駆動すべきランプ、および、制御回路が増えることにより、消費電力が高くなるという問題があった。さらに、このような消費電力の増加は、液晶表示装置内の温度上昇を招く。このように周囲の温度が高い状態で、ランプに、例えば、ＣＣＦＬ（冷陰極管）を使用すると、ＣＣＦＬは周囲温度の上昇により輝度が下がるという特性を有するため、バックライトの輝度が低下するという問題があった。
【０００７】
本発明は、このような問題点を解決するためになされたものであり、装置全体の厚さが薄く、少数のランプを用いた構造で、動画像の動画ボケを抑えることができる液晶表示装置を提供することにある。
【課題を解決するための手段】
【０００８】
本実施の形態に係る液晶表示装置は、液晶表示パネルと、前記液晶表示パネルの背面に配置される導光板と、前記液晶表示パネルの対向する２つの辺縁において前記導光板に隣接して配置されるランプを備える。ランプ制御部は、前記液晶表示パネルに対する映像の書き込みタイミングと前記ランプの点灯タイミングとを関連させて、前記ランプを間欠点灯する制御を行う。
【発明の効果】
【０００９】
本発明の映像表示装置は、装置全体の厚さが薄く、少数のランプを用いた構造で、動画像の動画ボケを抑えることができる。
【発明を実施するための最良の形態】
【００１０】
＜実施の形態１＞
本実施の形態に係る液晶表示装置を、図１と図２を用いて説明する。図１は、本実施の形態に係る液晶表示装置の構成を示すブロック図である。本実施の形態に係る液晶表示装置は、図１に示すように、信号処理部１と、信号出力部２と、液晶表示パネル３と、上部側デューティ／位相制御部４と、下部側デューティ／位相制御部５と、上部側ランプ駆動部６と、下部側ランプ駆動部７と、上部側エッジランプ８と、下部側エッジランプ９とを備える。
【００１１】
図２は、垂直同期信号、書き込み映像信号、上部側ランプ駆動波形、および、下部側ランプ駆動波形のタイミング図を示す。パネル垂直同期信号は、液晶表示パネル３を駆動するのに必要な垂直同期信号であり、書き込み映像信号は、液晶表示パネル３を駆動するのに必要な映像信号である。これらの信号は、信号出力部２から液晶表示パネル３に入力される信号である。上部側ランプ駆動波形は、上部側デューティ／位相制御部４から上部側ランプ駆動部６に入力される信号である。下部側ランプ駆動波形は、下部側デューティ／位相制御部５から下部側ランプ駆動部７に入力される信号である。
【００１２】
信号処理部１は、入力された映像信号、および、同期信号を、スケーリングや必要な信号処理を行うことによって、パネル垂直同期信号と書き込み映像信号を生成する。そして、信号処理部１は、これらの信号をデジタル信号として、信号出力部２に出力する。
【００１３】
信号出力部２は、信号処理部１から入力されるデジタル信号を、例えば、ＬＶＤＳ（Low Voltage Differential Signal）に変換し、その信号を液晶表示パネル３に出力する。信号処理部１は、この信号出力部２を経由して、パネル垂直同期信号と書き込み映像信号を液晶表示パネル３へ出力する。
【００１４】
液晶表示パネル３は、パネル垂直同期信号と、書き込み映像信号を、信号出力部２から受ける。液晶表示パネル３は、それらの信号に基づいて映像が書き込まれる。この液晶表示パネルは、図３（ａ）に示すように、一の液晶表示部を区分してなる第１の液晶表示部である上部側液晶表示部３ａと、第２の液晶表示部である下部側液晶表示部３ｂとを含む。本実施の形態では、上部側液晶表示部３ａと下部側液晶表示部３ｂは、仮想的に中心線で上下に区切られている。
【００１５】
書き込み映像信号による映像の書き込みは、上部側液晶表示部３ａの上部から下部側液晶表示部３ｂの下部に順次行われる。そのため、図２に示されるように、上部側液晶表示部３ａは、書き込み映像信号の周期の前半に映像が書き込まれ、下部側液晶表示部３ｂは、その信号の周期の後半に映像が書き込まれる。このように、上部側液晶表示部３ａと下部側液晶表示部３ｂは、互いに異なる期間に映像が書き込まれる。なお、上部側液晶表示部３ａおよび下部側液晶表示部３ｂ両者を区別する必要がない場合には、以下、液晶表示部と呼ぶものとする。
【００１６】
液晶表示パネル３は、ホールド型デバイスであり、液晶表示部に書き込み映像信号の映像が書き込まれるまで、１つ前のフレームで書き込まれたデータ、つまり、映像を保持する。そして、パネル垂直同期信号の１期間ごとに、保持された１つ前のフレームの映像と、現フレームの映像とを切り替えることにより、液晶表示部に動画を表示する。本実施の形態では、図２に示すように、この書き込み映像信号とパネル垂直同期信号が同期している。
【００１７】
図３（ｂ）に示すように、液晶表示パネル３の背面に、導光板１２は配置されている。また、ランプが液晶表示パネル３の対向する２つの辺縁である上辺縁と下辺縁において導光板１２に隣接して配置される。このランプは、液晶表示パネル３の光源であり、上部側液晶表示部側に配置される第１のランプである上部側エッジランプ８と、下部側液晶表示部側に配置される第２のランプである下部側エッジランプ９とを含む。なお、上部側エッジランプ８および下部側エッジランプ９両者を区別する必要がない場合には、以下、ランプと呼ぶものとする。ランプが発する光は、導光板１２に透過されて、液晶表示パネル３への面発光に変換される。その面発光により液晶表示パネル３が照らされる。
【００１８】
本実施の形態に係る液晶表示装置は、ランプを間欠点灯する制御に特徴を有する。以下、上部側エッジランプ８、下部側エッジランプ９を間欠点灯する制御を行うランプ制御部の構成について説明する。
【００１９】
ランプ制御部は、信号処理部１と、上部側デューティ／位相制御部４と、下部側デューティ／位相制御部５と、上部側ランプ駆動部６と、下部側ランプ駆動部７とから構成される。
【００２０】
信号処理部１は、上部側エッジランプ８と下部側エッジランプ９を制御するＰＷＭ信号を生成し、その信号を上部側デューティ／位相制御部４と下部側デューティ／位相制御部５それぞれに出力する。ここでのＰＷＭ信号は、パネル垂直同期信号と同期されており、パネル垂直同期信号と同じ周期を有する。
【００２１】
上部側デューティ／位相制御部４は、信号処理部１で生成されるＰＷＭ信号を、任意のデューティ、および、位相で波形整形し、上部側ランプ駆動波形を生成する。そして、上部側デューティ／位相制御部４は、上部側ランプ駆動波形を上部側ランプ駆動部６に出力する。ここでは、図２に示すように、上部側液晶表示部３ａに書込み映像信号の映像が書き込まれる期間に、上部側エッジランプ８を消灯するような上部側ランプ駆動波形を生成する。また、上部側ランプ駆動波形の周期は、ＰＷＭ信号の周期を維持しており、パネル垂直同期信号と同じ周期を有する。
【００２２】
同様に、下部側デューティ／位相制御部５は、信号処理部１で生成されるＰＷＭ信号を、任意のデューティ、および、位相で波形整形し、下部側ランプ駆動波形を生成する。そして、下部側デューティ／位相制御部５は、下部側ランプ駆動波形を下部側ランプ駆動部７に出力する。ここでは、図２に示すように、下部側液晶表示部３ｂに書込み映像信号の映像が書き込まれる期間に、下部側エッジランプ９を消灯するような下部側ランプ駆動波形を生成する。また、下部側ランプ駆動波形の周期は、ＰＷＭ信号の周期を維持しており、パネル垂直同期信号と同じ周期を有する。なお、上部側ランプ駆動波形および下部側ランプ駆動波形両者を区別する必要がない場合には、以下、ランプ駆動波形と呼ぶものとする。
【００２３】
上部側ランプ駆動部６は、上部側デューティ／位相制御部４で整形された上部側ランプ駆動波形に基づいて、液晶表示パネル３の光源である上部側エッジランプ８を駆動する。同様に、下部側ランプ駆動部７は、下部側デューティ／位相制御部５で整形された下部側ランプ駆動波形に基づいて、液晶表示パネル３の光源である下部側エッジランプ９を駆動する。
【００２４】
このように、ランプ制御部は、液晶表示パネル３に対する映像の書き込みタイミングと、ランプの点灯タイミングとを関連させて、ランプを間欠点灯する制御を行う。本実施の形態では、ランプ制御部は、上部側液晶表示部３ａに書込み映像信号の映像が書き込まれる期間に、上部側エッジランプ８を消灯、下部側エッジランプ９を点灯する。その動作に加えて、ランプ制御部は、下部側液晶表示部３ｂに書込み映像信号の映像が書き込まれる期間に、下部側エッジランプ９を消灯、上部側エッジランプ８を点灯する。
【００２５】
このような構成からなる本実施の形態に係る液晶表示装置は、液晶表示部に映像が書き込まれる期間に、その液晶表示部の辺縁のランプによって照らされない。このため、１つ前のフレームの映像が目の網膜で残像として残らない状態で、現フレームの映像が映し出されることになる。これにより、動画の動きボケを低減させることができる。
【００２６】
図２４は、従来の液晶表示パネルのブロック図である。従来の液晶表示装置では、上記の効果を持たせるためには、図２４のように、複数のダイレクトランプ５３とそれらを駆動するための複数のランプ駆動部５２が必要であった。本実施の形態に係る液晶表示装置では、液晶表示パネル３の背面に導光板１２を用いることにより、液晶表示装置全体の厚さを薄くすることができ、かつ、少数のランプで上記の効果を持たせることができる。
【００２７】
さらに、互いにランプを液晶表示パネル３の辺縁に配置して遠ざけることにより、それぞれの発熱によって互いに温めることがなくなるので、ランプ周囲の温度の上昇を抑えることができ、ＣＣＦＬの特性に伴う輝度低下の発生を防ぐことができる。
【００２８】
また、映像が書き込まれない液晶表示部はランプに照らされるため、ランプの間欠点灯による明るさの低減を抑えることができるようになる。
【００２９】
なお、本実施の形態では、上から下への映像の書き込み方向に対応させて第１のランプと第２のランプを上下方向に配置した。しかし、これに限ったものではなく、書き込み方向が異なった場合には、その書き込み方向に応じて、ランプを、例えば、左右方向に配置しても同様の効果が得られる。
【００３０】
＜実施の形態２＞
本実施の形態に係る液晶表示装置を、図４と図５を用いて説明する。なお、以下で新たに説明しない構成については、実施の形態１と同じであるものとする。
【００３１】
図４は、実施の形態１で生成されるランプ駆動波形と、実際のランプの点灯消灯状態を示すランプ発光波形との関係を模式的に表したタイミング図である。この図に示されているように、ランプの持つ発光（残光）特性のため、ランプ駆動波形が点灯、または、消灯に切り替わっても、実際には、完全な点灯、または、完全な消灯までに時間を要する。このため、図４に示すタイミング、つまり、発光（残光）特性を考慮しないタイミングでランプの消灯を開始しても、実施の形態１で述べた動きボケを低減する効果が減少してしまう。
【００３２】
そこで、本実施の形態では、ランプ制御部は、液晶表示パネル３に映像が書き込まれるタイミングから所定時間遡ったタイミングにおいて、ランプの消灯を開始する。この所定時間は、上部側デューティ／位相制御部４、および、下部側デューティ／位相制御部５において設定する。そして、この所定時間が、上部側デューティ／位相制御部４、および、下部側デューティ／位相制御部５両者において、ランプの残光特性による遅延時間に設定されている。このように構成されたランプ制御部で生成されるランプ駆動波形と、実際のランプ発光波形との関係を模式的に表したタイミング図を図５に示す。
【００３３】
このように構成された本実施の形態に係る液晶表示装置は、ランプを点灯させたくないが、残光特性により点灯していた期間において、ランプを消灯することができる。これらにより、実施の形態１よりも効果的な動きボケの低減を実現することができる。
【００３４】
なお、上部側エッジランプ８と下部側エッジランプ９のいずれか一方に適用してもよいが、本実施の形態のように、両方のエッジランプに適用することが望ましい。また、所定時間として、各エッジランプの残光特性が現れた期間より短い期間を用いてもよいが、本実施の形態のように、各エッジランプの残光特性が現れた期間をできる限り用いるようにすることが望ましい。
【００３５】
＜実施の形態３＞
本実施の形態に係る液晶表示装置を、図６を用いて説明する。なお、以下で新たに説明しない構成については、実施の形態１と同じであるものとし、同一部分には同一符号を付すものとする。実施の形態２では所定時間遡ってランプの消灯を開始したが、ランプ残光特性は、ランプの光の強さが強いほど長くなる。そこで、本実施の形態では、ランプの光の強さに合わせて、ランプの消灯を開始する時点を変更する。
【００３６】
図６は、本実施の形態に係る液晶表示装置におけるブロック図である。図６は、図１に加えて、ランプが発する光の強さを検出する光検出部である上部側光検出部１０と下部側光検出部１１を備える。本実施の形態では、上部側光検出部１０と下部側光検出部１１は、光の強さを、光の量で検出するものとする。この上部側光検出部１０および下部側光検出部１１は、例えば、光センサーであり、検出する光の量に応じて出力する電圧、または、電流の大きさを変化させ、そのデジタル出力データを出力するものである。
【００３７】
上部側光検出部１０は、上部側エッジランプ８が発する光の量を検出し、図示しない上部側光検出データ処理部を介して、その光の量に応じた情報を上部側デューティ／位相制御部４に出力する。下部側光検出部１１は、下部側エッジランプ９が発する光の量を検出し、図示しない下部側光検出データ処理部を介して、その光の量に応じた情報を下部側デューティ／位相制御部５に出力する。
【００３８】
上部側デューティ／位相制御部４は、上部側光検出部１０が検出する光の量に応じて、上部側エッジランプ８の消灯を開始する時点を変更するような上部側ランプ駆動波形を生成する。同様に、下部側デューティ／位相制御部５は、下部側光検出部１１が検出する光の量に応じて、下部側エッジランプ９の消灯を開始する時点を変更するような下部側ランプ駆動波形を生成する。開始する時点を変更するためには、例えば、光の量に応じた残光特性の遅延時間に関するデータを予め記憶しておき、それに基づいて変更する。
【００３９】
こうして、ランプ制御部は、上部側光検出部１０が検出する光の強さに応じて、上部側エッジランプ８の消灯を開始するタイミングを変更する。それと同じように、ランプ制御部は、下部側光検出部１１が検出する光の強さに応じて、下部側エッジランプ９の消灯を開始するタイミングを変更する。
【００４０】
このように構成された本実施の形態に係る液晶表示装置は、ランプを点灯させたくないが、残光特性により点灯していた期間において、実施の形態２よりもランプを確実に消灯することができる。その結果、実施の形態２よりも効果的な動きボケの低減を実現することができる。
【００４１】
＜実施の形態４＞
本実施の形態に係る液晶表示装置を、図７を用いて説明する。図７は、本実施の形態に係る液晶表示装置における導光板１２の模式図であり、ここでは、図７（ａ）、図７（ｂ）、図７（ｃ）において、その導光板１２の例を表している。なお、図７（ａ）は、図７（ｂ）を一般化した図である。
【００４２】
図７（ａ）−１と、図７（ｂ）−１と、図７（ｃ）−１は液晶表示パネル３側から見た図であり、図７（ａ）−２と、図７（ｂ）−２と、図７（ｃ）−２は横方向から見た図である。ここで、図７（ａ）−１と、図７（ｂ）−１と、図７（ｃ）−１は、図３とは異なり、液晶表示パネル３を取り除いた図であり、導光板１２が現れている。図７（ａ）−３と、図７（ｂ）−３と、図７（ｃ）−３は、それぞれの導光板１２の光透過性を上下方向について示した図である。
【００４３】
図７（ａ）−１に示すように、エッジライト型バックライトシステムは実施の形態１と同様、液晶表示パネル３の背面に導光板１２が配置されており、ランプが液晶表示パネル３の上辺縁と下辺縁の２つの辺縁において導光板１２に隣接して配置される。なお、図７（ｂ）−１、図７（ｃ）−１では、簡単のためランプは省略してある。
【００４４】
図７（ａ）−１と、図７（ｂ）−１と、図７（ｃ）−１それぞれに示すように、導光板１２は、上部側液晶表示部３ａと下部側液晶表示部３ｂそれぞれに対応した第１の光透過領域である上部側光透過領域１２ａと第２の光透過領域である下部側光透過領域１２ｂを有する。
【００４５】
図７（ａ）と図７（ｂ）に示す導光板１２は、図７（ａ）−３、図７（ｂ）−３に示すように、上部側光透過領域１２ａと下部側光透過領域１２ｂとの境界における光透過特性が、それ以外の領域の光透過特性よりも低くなっている。この境界は、本実施の形態では導光板１２を上下に区切る仮想の中心線である。図７（ａ）−１に示している導光板１２は、端部から中心線に近づくにつれて、光透過性が低くなる。このような特性をもつためには、例えば、図７（ｂ）−２に示すように、導光板１２の厚さが、端部から中心に近くづにつれて薄くなるようにすればよい。このような光透過性をもつ導光板１２では、上部側光透過領域１２ａと下部側光透過領域１２ｂのうち一の領域から、光が中心線を超えて他の領域への移動が遮断される。
【００４６】
図７（ｃ）に示す導光板１２は、図７（ｃ）−２に示すように、上部側光透過領域１２ａと下部側光透過領域１２ｂとの境界において分割されている。ここでも、境界は、導光板１２を上下に区切る仮想の中心線である。このような導光板１２では、上部側光透過領域１２ａと下部側光透過領域１２ｂのうち一方の領域から、光が中心線を超えて他の領域への移動が遮断される。
【００４７】
こうした特性を持つ導光板１２を用いれば、ランプが発する光は、上部側光透過領域１２ａと下部側光透過領域１２ｂの境界である中心線を超えて移動しなくなる。このため、上部側エッジランプ８が点灯しても、その点灯が原因で、下部側液晶表示部３ｂは照らされることはない。同様に、下部側エッジランプ９が点灯しても、その点灯が原因で、上部側液晶表示部３ａは照らされることはない。こうして、本実施の形態に係る液晶表示装置は、液晶表示部の消灯すべき領域が、実施の形態１よりも確実に消灯されるため、実施の形態１よりも効果的な動きボケの低減を実現することができる。
【００４８】
なお、以上のような導光板１２では、液晶表示パネル３への光放射量の面内分布にばらつきが生じるため、導光板１２と液晶表示パネル３との間に、補償フィルムを設けてもよい。これにより、図７（ａ）−４と、図７（ｂ）−４と、図７（ｃ）−４のように、本実施の形態に係る液体表示装置は、面全体で均一な光放射量で液晶表示パネル３を照射することができる。
【００４９】
＜実施の形態５＞
次に、本実施の形態に係る液晶表示装置について、図８〜図１２を用いて説明する。図８は、本実施の形態に係る液晶表示装置の構成を示すブロック図である。なお、以下で新たに説明しない構成については、実施の形態１と同じであるものとし、同一部分には同一符号を付ものとする。図９は、パネル垂直同期信号、書込み映像信号、上部側ランプ駆動波形、下部側ランプ駆動波形のタイミング図である。
【００５０】
本実施の形態では、図８に示すように、実施の形態１で用いた上部側デューティ／位相制御部４および下部側デューティ／位相制御部５の代わりに、１のデューティ／位相制御部４ａを使用して、上部側エッジランプ８と下部側エッジランプ９の両方を制御する。このような構成によれば、図９に示すように、上部側ランプ駆動波形と下部側ランプ駆動波形を同デューティで、かつ、同位相、すなわち位相差０で制御でき、上部側エッジランプ８および下部側エッジランプ９を位相差０で間欠点灯することができる。
【００５１】
図１０は図８の構成における液晶表示装置に、映像動き検出部１３を加えた構成を示すブロック図である。この映像動き検出部１３は、例えば、映像信号処理回路の内部にあって、現フレームの映像情報と、１つあるいは複数フレーム前の映像情報を比較し、１フレーム全体の映像情報の中でどの部分に動きがあるかを検出する。この検出から、映像動き検出部１３は、液晶表示パネル３の液晶表示部において表示される映像が動く領域を検出する。そして、映像動き検出部１３は、その領域についての情報をデューティ／位相制御部４ａに出力する。
【００５２】
図１１は、図８の液晶表示装置に、映像動き検出部１３を加えたときのタイミング図である。デューティ／位相制御部４ａは、信号処理部１で生成されるＰＷＭ信号を、任意のデューティ、および、位相で波形整形する。本実施の形態では、図１１に示すように、デューティ／位相制御部４ａは、映像動き検出部１３が検出する領域に映像が書き込まれる期間に、ランプを消灯するような上部側ランプ駆動波形と下部側ランプ駆動波形を生成する。この条件では、液晶表示部に表示される映像が液晶表示部の全領域で動き続けた場合に、全く点灯されなくなってしまうため、図１１に示すように、映像書込み信号の映像１フレームおきにランプが点灯する上部側ランプ駆動波形および下部側ランプ駆動波形を生成する。
【００５３】
デューティ／位相制御部４ａは、このような上部側ランプ駆動波形を上部側ランプ駆動部６に出力する。また、デューティ／位相制御部４ａは、上部側ランプ駆動波形と同じ下部側ランプ駆動波形を下部側ランプ駆動部７に出力する。こうして、ランプ制御部は、映像動き検出部１３が検出する領域に映像が書き込まれる期間に、ランプを消灯する。
【００５４】
このように構成された本実施の形態に係る液晶表示装置は、液晶表示部において映像の動きがある領域に映像を書き込む期間に、ランプが消灯される。このため、液晶表示部に表示される映像が動いている領域が、目の網膜で残像として残らない状態で、現フレームの映像が映し出されることになる。これにより、動画の動きボケを低減させることができる。一方、液晶表示部において映像の動きがない領域に映像を書き込む期間には、ランプが消灯されずに点灯を維持するため、液晶表示パネル３全体でみた明るさの低減を抑えることができる。
【００５５】
図１２は、図１０の液晶表示装置において、映像動き検出部１３の代わりに、ユーザー特定領域選択指示部２３を加えた構成を示すブロック図である。このユーザー特定領域選択指示部２３は、外部入力情報により指示された特定領域、例えば、ＯＳＤ（オンスクリーンディスプレイ）における調整手段において文字テロップが出る映像の最下部領域、に関する情報が入力される。この外部入力情報は、例えば、ユーザーによって入力される。そして、ユーザー特定領域選択指示部２３は、その情報をデューティ／位相制御部４ａに出力する。
【００５６】
デューティ／位相制御部４ａは、映像表示部において、外部入力情報により指示された特定領域に映像が書き込まれる期間に、ランプを消灯するような上部側ランプ駆動波形と下部側ランプ駆動波形を生成する。デューティ／位相制御部４ａは、そのような上部側ランプ駆動波形と下部側ランプ駆動波形をそれぞれ、上部側ランプ駆動部６と下部側ランプ駆動部７に出力する。こうして、ランプ制御部は、液晶表示部において外部入力情報により指示された特定領域に映像が書き込まれる期間に、ランプを消灯する。
【００５７】
このように構成された本実施の形態に係る液晶表示装置は、外部入力情報により指示された特定領域において、上記映像動き検出部１３で検出される領域と同じように、動画の動きボケを低減させることができる。また、液晶表示部の一部のみを間欠点灯するようにするため、液晶表示パネル３全体でみた明るさの低減を抑えることができる。
【００５８】
＜実施の形態６＞
本実施の形態に係る液晶表示装置について、図１３を用いて説明する。なお、以下で新たに説明しない構成については、実施の形態１と同じであるものとし、同一部分には同一符号を付すものとする。
【００５９】
上部側エッジランプ８、および、下部側エッジランプ９の間欠点灯を行うと、上部側エッジランプ８，および、下部側エッジランプ９のいずれか一方が点灯しない消灯期間は、液晶表示パネル３全体でみると輝度低下が起こる。そこで、本実施の形態では、このような輝度低下を小さくする液晶表示装置について説明する。
【００６０】
図１３（ａ）は、実施の形態１と同一のタイミング図を再掲しており、図１３（ｂ）は、本実施の形態における液晶表示装置において、変更される信号のタイミング図を示したものである。図１３（ａ）に示すように、実施の形態１では、パネル垂直同期期間全てを用いて映像を書き込んでいたが、その必要はなく、その期間よりも短い期間で映像を書き込んでもよい。そこで、本実施の形態に係る液晶表示装置では、書き込み映像信号の書き込み速度を上げる。つまり、液晶表示パネル３に映像が書き込まれる期間の長さは、１垂直同期期間よりも短い。ここでいう、１垂直同期期間とは、パネル垂直同期信号の周期である。
【００６１】
図１３（ｂ）には、実施の形態１の同速度（図１３（ａ））の２倍である場合の書き込み映像信号が示されており、映像が書き込まれる期間の長さは、実施の形態１の同期間の１／２倍である。
【００６２】
上部側デューティ／位相制御部４は、図１３（ｂ）の上部側ランプ駆動波形に示されるように、上部側液晶表示部３ａに映像が書き込まれる期間以外の期間に、上部側エッジランプ８を点灯するような上部側ランプ駆動波形を生成する。下部側デューティ／位相制御部５は、図１３（ｂ）の下部側ランプ駆動波形に示されるように、下部側液晶表示部３ｂに映像が書き込まれる期間以外の期間に、下部側エッジランプ９を点灯するような上部側ランプ駆動波形を生成する。こうして、ランプ制御部は、液晶表示パネル３に映像が書き込まれる期間と異なる期間にランプを点灯する制御を行う。
【００６３】
このように構成された本実施の形態に係る液晶表示装置は、映像が書き込まれる期間が短縮されるため、１垂直同期期間のうち、上部側液晶表示部３ａおよび下部側液晶表示部３ｂそれぞれに映像が書き込まれる期間以外の期間（ブランキング期間）が長くなる。そして、液晶表示部に映像が書き込まれる期間を短縮して長くなったブランキング期間を、ランプの点灯期間として利用する。このため、ランプ消灯期間は短く、ランプ点灯時間は長くなるので、液晶表示パネル３全体でみた輝度低下を軽減することができる。
【００６４】
＜実施の形態７＞
本実施の形態に係る液晶表示装置について、図１４〜図１８を用いて説明する。なお、以下で新たに説明しない構成については、実施の形態１と同じであるものとし、同一部分には同一符号を付ものとする。
【００６５】
実施の形態１のようなランプの間欠点灯を行うと、動きのある映像のエッジ部分に色にじみが発生する場合がある。図１４は、その色にじみを示す図であり、縮小図の白部分と黒部分の境界部分が動いていると想定する。拡大図は、縮小図の境界付近に記した四角部を拡大した図である。この色にじみの原因は、不明なところもあるが、エッジランプの蛍光体のＲ，Ｇ，Ｂ発光（残光）特性の差や、カラーフィルターのＲ，Ｇ，Ｂ特性の差などが考えられる。本実施の形態では、このような色にじみを抑制する液晶表示装置について説明する。
【００６６】
図１５は、本実施の形態に係る液晶表示装置の構成を示すブロック図である。図に示すように、実施の形態１の構成に、オーバードライブ処理部１４とオーバードライブ制御データ１５を加わえている。
【００６７】
オーバードライブ処理部１４は、オーバードライブ処理を行う部分であり、液晶表示部の映像のＲ，Ｇ，Ｂ各色それぞれにオーバードライブ処理する。オーバードライブ処理とは、映像信号の元の階調変化よりも大きな階調変化を与える電圧を、瞬間的に液晶にかけることにより、中間階調の応答速度を改善する一般に知られた技術である。オーバードライブ処理部１４は、オーバードライブ制御データ１５のＲ，Ｇ，Ｂ各色のオーバードライブ制御データにもとづいて、各色のオーバードライブ量を独立して制御する。オーバードライブ量は、上述した電圧に相当するものであり、Ｒ，Ｇ，Ｂ各色それぞれのオーバードライブ制御データは、複数のオーバードライブ量のデータで構成されている。
【００６８】
このように構成された液晶表示装置では、オーバードライブ処理部１４とオーバードライブ制御データ１５の働きにより、Ｒ，Ｇ，Ｂ各色における中間階調の応答速度は改善され、図１４の改善後に示すように、各色の発光（残光）特性も抑えられる。その結果、液晶表示部において、動きのある映像のエッジ部分に発生していた色にじみを抑えることができる。
【００６９】
図１６は、図１５の液晶表示装置に、映像動き検出部１３を加えた構成を示すブロック図である。この映像動き検出部１３は、例えば、映像信号処理回路の内部にあって、現フレームの映像情報と、１つあるいは複数フレーム前の映像情報を比較し、１フレーム全体の映像情報の中でどの部分にどの程度の動きがあるかを検出する。この検出から、映像動き検出部１３は、液晶表示パネル３の液晶表示部において表示される映像が動く領域を検出する。この映像動き検出部１３は、オーバードライブ処理部１４に接続されており、検出結果をオーバードライブ処理部１４に出力する。
【００７０】
オーバードライブ処理部１４はこの結果をもとに、映像の動きがある領域の動き量に応じて、映像の動き量に適応した最適なＲ，Ｇ，Ｂ各色のオーバードライブ制御データ１５を選択することで、動きのある映像のエッジ部分の色にじみが最適に抑制される。
【００７１】
このように構成された液晶表示装置によれば、上記と同じように、動きのある映像のエッジ部分に発生していた色にじみを抑えることができる。
【００７２】
図１７は、本実施の形態に係る液晶表示装置の別の構成を示すブロック図である。図に示すように、図１５のブロック図において、オーバードライブ処理部１４の代わりに映像エッジ補正処理部１６と、オーバードライブ制御データ１５の代わりにエッジ補正制御データ１７を備える。
【００７３】
映像エッジ補正処理部１６は、映像エッジ補正処理を行う部分であり、液晶表示部の映像のＲ，Ｇ，Ｂ各色それぞれに映像エッジ補正処理する。本実施の形態において、この映像エッジ補正処理は、シャープネス処理であり、隣り合う領域の境界付近における階調変化を大きくする。映像エッジ補正処理部１６は、エッジ補正制御データ１７のＲ，Ｇ，Ｂ各色のエッジ補正制御データにもとづいて、各色のシャープネス量を独立して制御する。
【００７４】
このように構成された液晶表示装置では、映像エッジ補正処理部１６とエッジ補正制御データ１７の働きにより、Ｒ，Ｇ，Ｂ各色のエッジが揃うように補正される。その結果、液晶表示部において、動きのある映像のエッジ部分に発生していた色にじみを抑えることができる。
【００７５】
図１８は、図１７の液晶表示装置に、映像動き検出部１３を加えた構成を示すブロック図である。この映像動き検出部１３は、本実施の形態で示した図１６の映像動き検出部１３と同一のものである。この映像動き検出部１３は、映像エッジ補正処理部１６に接続されており、検出結果を映像エッジ補正処理部１６に出力する。そして、映像エッジ補正処理部１６は、映像動き検出部１３が検出する結果に応じて、オーバードライブ処理と同様に、映像エッジ補正処理であるシャープネス処理を行う。
【００７６】
このように構成された液晶表示装置によれば、上記と同じように、動きのある映像のエッジ部分に発生していた色にじみを抑えることができる。
【００７７】
＜実施の形態８＞
本実施の形態に係る液晶表示装置について、図１９と図２０を用いて説明する。なお、以下で新たに説明しない構成については、実施の形態１と同じであるものとし、同一部分には同一符号を付ものとする。
【００７８】
実施の形態６で述べたように、上部側エッジランプ８および下部側エッジランプ９の間欠点灯を行うと、上部側エッジランプ８、および、下部側エッジランプ９のいずれか一方が点灯しない消灯期間は、液晶表示パネル３全体でみると輝度低下が起こる。これを防ぐため、実施の形態６では、映像が書き込まれる期間を短くして、それに応じて長くなったブランキング期間にランプを点灯させたが、本実施の形態では、ランプに流す電流の大きさを変更することで、輝度低下を軽減する。
【００７９】
図１９は、本実施の形態に係る液晶表示装置の構成を示すブロック図である。図に示すように、実施の形態１の構成に、上部側デューティ／位相制御部４に接続された上部側電流制御部１８と、下部側デューティ／位相制御部５に接続された下部側電流制御部１９が加わっている。
【００８０】
上部側電流制御部１８は、上部側デューティ／位相制御部４で生成される上部側ランプ駆動波形から、上部側エッジランプ８を消灯する期間を読み取る。こうして、電流制御部である上部側電流制御部１８は、ランプ制御部が上部側エッジランプ８を消灯する期間に応じて、上部側エッジランプ８に供給される電流値を変更する。ここでは、上部側電流制御部１８は、上部側エッジランプ８が消灯される期間が長くなるにつれて、上部側エッジランプ８に供給される電流値を大きくするように上部側ランプ駆動部６に働きかける。
【００８１】
下部側電流制御部１９は、下部側デューティ／位相制御部５で生成される下部側ランプ駆動波形から、下部側エッジランプ９を消灯する期間を読み取る。こうして、電流制御部である下部側電流制御部１９は、ランプ制御部が下部側エッジランプ９を消灯する期間に応じて、下部側エッジランプ９に供給される電流値を変更する。ここでは、下部側電流制御部１９は、下部側エッジランプ９を消灯する期間が長くなるにつれて、下部側エッジランプ９に供給される電流値を大きくするように下部側ランプ駆動部７に働きかける。
【００８２】
このように構成された液晶表示装置によれば、エッジランプの間欠点灯による輝度低下を補正するように、エッジランプに流す電流が大きくなり、その輝度が上がるので、液晶表示パネル３全体でみたときの輝度低下が軽減される。
【００８３】
次にランプの電流値を変更する別の例を図２０を用いて説明する。図２０には、図１９の構成に、コンテンツ情報判別部２０がさらに加わる。このコンテンツ情報判別部２０は、液晶表示パネル３に表示される映像のコンテンツ情報を判別してコンテンツ情報を出力する。
【００８４】
電流制御部である上部側電流制御部１８は、コンテンツ情報判別部２０で判別されたコンテンツ情報に応じて、上部側エッジランプ８に供給される電流値を変更する。例えば、そのコンテンツの映像が、消灯により大きな影響を受ける場合には、電流値を大きくして、その影響を小さくする。
【００８５】
同様に、電流制御部である下部側電流制御部１９は、コンテンツ情報判別部２０で判別されたコンテンツ情報に応じて、下部側エッジランプ９に供給される電流値を変更する。例えば、そのコンテンツの映像が、消灯により大きな影響を受ける場合には、電流値を大きくして、その影響を小さくする。
【００８６】
このように構成された液晶表示装置によれば、入力されるコンテンツの種別に応じて、液晶表示パネル３全体でみたときの輝度低下を適切に補正することができる。
【００８７】
＜実施の形態９＞
本実施の形態に係る液晶表示装置について、図２１〜図２３を用いて説明する。なお、以下で新たに説明しない構成については、実施の形態１と同じであるものとし、同一部分には同一符号を付ものとする。本実施の形態では、実施の形態８と同様、液晶表示パネル３全体でみたときの輝度低下を軽減するものである。
【００８８】
図２１は、本実施の形態に係る液晶表示装置の構成を示すブロック図である。図に示すように、実施の形態８の構成に対して、上部側電流制御部１８の代わりに上部側ランプ切り替え回路２１を、下部側電流制御部１９の代わりに下部側ランプ切り替え回路２２を備える。
【００８９】
本実施の形態では、図２３に示すように、上部側エッジランプ８は、液晶表示パネル３の上辺縁において複数配置され、下部側エッジランプ９は、液晶表示パネル３の下辺縁においてそれぞれ複数配置される。この図では、上部側、下部側それぞれに３つずつランプが配置されている。
【００９０】
上部側ランプ切り替え回路２１は、上部側デューティ／位相制御部４で生成される上部側ランプ駆動波形から、上部側エッジランプ８を消灯する期間を読み取る。こうして、ランプ切り替え回路である上部側ランプ切り替え回路２１は、ランプ制御部が上部側エッジランプ８を消灯する期間に応じて、点灯する上部側エッジランプ８の個数を変更する。ここでは、上部側ランプ切り替え回路２１は、上部側エッジランプ８が消灯される期間が長くなるにつれて、点灯する上部側エッジランプ８の個数を増やすように上部側ランプ駆動部６に働きかける。
【００９１】
下部側ランプ切り替え回路２２は、下部側デューティ／位相制御部５で生成される下部側ランプ駆動波形から、下部側エッジランプ９を消灯する期間を読み取る。こうして、ランプ切り替え回路である下部側ランプ切り替え回路２２は、ランプ制御部が下部側エッジランプ９を消灯する期間に応じて、点灯する下部側エッジランプ９の個数を変更する。ここでは、下部側ランプ切り替え回路２２は、下部側エッジランプ９が消灯される期間が長くなるにつれて、点灯する下部側エッジランプ９の個数を増やすように下部側ランプ駆動部７に働きかける。
【００９２】
このように構成された液晶表示装置によれば、エッジランプの間欠点灯による輝度低下を補正するように、点灯されるランプの個数が増え、液晶表示パネル３全体でみたときの輝度低下が軽減される。なお、ランプの数を増やしすぎると、ランプ周囲の温度が上昇しやすくなるので、この温度上昇との兼ね合いでランプの数は決定されるのが望ましい。
【００９３】
次に点灯するランプの個数を変更する別の例を図２２を用いて説明する。図２２には、図２１の構成に、コンテンツ情報判別部２０がさらに加わる。このコンテンツ情報判別部２０は、液晶表示パネル３に表示される映像のコンテンツ情報を判別して、コンテンツ情報を出力する。
【００９４】
ランプ切り替え回路である上部側ランプ切り替え回路２１は、コンテンツ情報判別部２０で判別されたコンテンツ情報に応じて、点灯する上部側エッジランプ８の個数を変更する。例えば、そのコンテンツの映像が、消灯により大きな影響を受ける場合には、点灯する上部側エッジランプ８の個数を増やして、その影響を小さくする。
【００９５】
同様に、ランプ切り換え回路である下部側ランプ切り替え回路２２は、コンテンツ情報判別部２０で判別されたコンテンツ情報に応じて、点灯する下部側エッジランプ９の個数を変更する。例えば、そのコンテンツの映像が、消灯により大きな影響を受ける場合には、点灯する上部側エッジランプ８の個数を増やして、その影響を小さくする。
【００９６】
このように構成された液晶表示装置によれば、入力されるコンテンツの種別に応じて、液晶表示パネル３全体でみたときの輝度低下を適切に補正することができる。
【図面の簡単な説明】
【００９７】
【図１】実施の形態１に係る映像表示装置の構成を示すブロック図である。
【図２】実施の形態１に係る映像表示装置の間欠点灯を示すタイミング図である。
【図３】実施の形態１に係る映像表示装置の構成を説明する図である。
【図４】実施の形態２に係る映像表示装置の間欠点灯を示すタイミング図である。
【図５】実施の形態２に係る映像表示装置の間欠点灯を示すタイミング図である。
【図６】実施の形態３に係る映像表示装置の構成を示すブロック図である。
【図７】実施の形態４に係る映像表示装置の導光板を説明する図である。
【図８】実施の形態５に係る映像表示装置の構成を示すブロック図である。
【図９】実施の形態５に係る映像表示装置の間欠点灯を示すタイミング図である。
【図１０】実施の形態５に係る映像表示装置の構成を示すブロック図である。
【図１１】実施の形態５に係る映像表示装置の間欠点灯を示すタイミング図である。
【図１２】実施の形態５に係る映像表示装置の構成を示すブロック図である。
【図１３】実施の形態６に係る映像表示装置の間欠点灯を示すタイミング図である。
【図１４】実施の形態７に係る映像表示装置の課題を説明する図である。
【図１５】実施の形態７に係る映像表示装置の構成を示すブロック図である。
【図１６】実施の形態７に係る映像表示装置の構成を示すブロック図である。
【図１７】実施の形態７に係る映像表示装置の構成を示すブロック図である。
【図１８】実施の形態７に係る映像表示装置の構成を示すブロック図である。
【図１９】実施の形態８に係る映像表示装置の構成を示すブロック図である。
【図２０】実施の形態８に係る映像表示装置の構成を示すブロック図である。
【図２１】実施の形態９に係る映像表示装置の構成を示すブロック図である。
【図２２】実施の形態９に係る映像表示装置の構成を示すブロック図である。
【図２３】実施の形態９に係る映像表示装置の構成を説明する図である。
【図２４】従来の映像表示装置の構成を示すブロック図である。
【符号の説明】
【００９８】
１  信号処理部、２  信号出力部、３  液晶表示パネル、３ａ  上部側液晶表示部、３ｂ  下部側液晶表示部、４  上部側デューティ／位相制御部、４ａ  デューティ／位相制御部、５  下部側デューティ／位相制御部、６  上部側ランプ駆動部、７  下部側ランプ駆動部、８  上部側エッジランプ、９  下部側エッジランプ、１０  上部側光検出部、１１  下部側光検出部、１２  導光板、１２ａ  上部側光透過領域、１２ｂ  下部側光透過領域、１３  映像動き検出部、１４  オーバードライブ処理部、１５  オーバードライブ制御データ、１６  映像エッジ補正処理部、１７  エッジ補正制御データ、１８  上部側電流制御部、１９  下部側電流制御部、２０  コンテンツ情報判別部、２１  上部側ランプ切り替え回路、２２  下部側ランプ切り替え回路、２３  ユーザー特定領域選択指示部。
【図１】
2008083427.tif 000003
【図２】
2008083427.tif 000004
【図３】
2008083427.tif 000005
【図４】
2008083427.tif 000006
【図５】
2008083427.tif 000007
【図６】
2008083427.tif 000008
【図７】
2008083427.tif 000009
【図８】
2008083427.tif 000010
【図９】
2008083427.tif 000011
【図１０】
2008083427.tif 000012
【図１１】
2008083427.tif 000013
【図１２】
2008083427.tif 000014
【図１３】
2008083427.tif 000015
【図１４】
2008083427.tif 000016
【図１５】
2008083427.tif 000017
【図１６】
2008083427.tif 000018
【図１７】
2008083427.tif 000019
【図１８】
2008083427.tif 000020
【図１９】
2008083427.tif 000021
【図２０】
2008083427.tif 000022
【図２１】
2008083427.tif 000023
【図２２】
2008083427.tif 000024
【図２３】
2008083427.tif 000025
【図２４】
2008083427.tif 000026